【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】サービス提供装置および方法、情報処理装置および方法、コンテンツ共有システムおよび方法、並びにプログラム格納媒体
【手続補正２】
【補正対象書類名】明細書
【補正対象項目名】特許請求の範囲
【補正方法】変更
【補正の内容】
【特許請求の範囲】
【請求項１】  ネットワーク上の情報処理装置にサービスを提供するサービス提供装置において、
前記情報処理装置が属するグループを記憶する記憶手段と、
前記情報処理装置から送信されてきたリクエスト情報を受信する受信手段と、
前記リクエスト情報と対応付けられているデータを取得する取得手段と、
前記取得手段により取得された前記データを、前記同一のグループに属する前記情報処理装置に同時に送信する通信手段と
を備えることを特徴とするサービス提供装置。
【請求項２】  前記データは、音楽データであり、
前記リクエスト情報は、特定の前記音楽データの曲目を含む
ことを特徴とする請求項１に記載のサービス提供装置。
【請求項３】  前記データは、前記同一のグループに属する前記情報処理装置の間で共有することが可能な音楽データであり、
前記通信手段は、前記音楽データを、前記同一のグループに属する前記情報処理装置に同時に送信する
ことを特徴とする請求項１に記載のサービス提供装置。
【請求項４】  前記情報処理装置から送信されてきたテキストデータを受信し、そのテキストデータを、前記同一のグループに属する前記情報処理装置に送信する送信手段をさらに備える
ことを特徴とする請求項１に記載のサービス提供装置。
【請求項５】  ネットワーク上の情報処理装置にサービスを提供するサービス提供装置のサービス提供方法において、
前記情報処理装置が属するグループを記憶するように制御する記憶制御ステップと、
前記情報処理装置から送信されてきたリクエスト情報を受信する受信ステップと、
前記リクエスト情報と対応付けられているデータを取得する取得ステップと、
前記取得ステップの処理により取得された前記データを、前記同一のグループに属する前記情報処理装置に同時に送信する通信ステップと
を含むことを特徴とするサービス提供方法。
【請求項６】  ネットワーク上の情報処理装置にサービスを提供するサービス提供用のプログラムであって、
前記情報処理装置が属するグループを記憶するように制御する記憶制御ステップと、
前記情報処理装置から送信されてきたリクエスト情報を受信する受信ステップと、
前記リクエスト情報と対応付けられているデータを取得する取得ステップと、
前記取得ステップの処理により取得された前記データを、前記同一のグループに属する前記情報処理装置に同時に送信する通信ステップと
を含むことを特徴とするコンピュータが読み取り可能なプログラムが格納されているプログラム格納媒体。
【請求項７】  ネットワーク上のサービスを提供するサービス提供装置に他の情報処理装置とともにアクセスし、サービスの提供を受ける情報処理装置において、
前記サービス提供装置にアクセスするためのアクセス情報を入力する入力手段と、
前記サービス提供装置から送信されてきた前記サービスの内容の表示を制御する表示制御手段と、
前記サービスの中から所定のサービスを選択し、前記サービス提供装置に対して、自分自身と前記他の情報処理装置への送信を要求する要求手段と、
前記サービス提供装置から送信されてきたデータを受信する受信手段と、
前記データを再生する再生手段と
を備えることを特徴とする情報処理装置。
【請求項８】  前記サービスは、前記サービス提供装置が提供する前記データの一覧情報であり、
前記データは、音楽データである
ことを特徴とする請求項７に記載の情報処理装置。
【請求項９】  前記データは、前記他の情報処理装置との間で共有することが可能な音楽データである
ことを特徴とする請求項７に記載の情報処理装置。
【請求項１０】  ネットワーク上のサービスを提供するサービス提供装置に他の情報処理装置とともにアクセスし、サービスの提供を受ける情報処理装置の情報処理方法において、
前記サービス提供装置にアクセスするためのアクセス情報を入力する入力ステップと、
前記サービス提供装置から送信されてきた前記サービスの内容の表示を制御する表示制御ステップと、
前記サービスの中から所定のサービスを選択し、前記サービス提供装置に対して、自分自身と前記他の情報処理装置への送信を要求する要求ステップと、
前記サービス提供装置から送信されてきたデータを受信する受信ステップと、
前記データを再生する再生ステップと
を含むことを特徴とする情報処理方法。
【請求項１１】  ネットワーク上のサービスを提供するサービス提供装置に他の情報処理装置とともにアクセスし、サービスの提供を受ける情報処理用のプログラムであって、
前記サービス提供装置にアクセスするためのアクセス情報を入力する入力ステップと、
前記サービス提供装置から送信されてきた前記サービスの内容の表示を制御する表示制御ステップと、
前記サービスの中から所定のサービスを選択し、前記サービス提供装置に対して、自分自身と前記他の情報処理装置への送信を要求する要求ステップと、
前記サービス提供装置から送信されてきたデータを受信する受信ステップと、
前記データを再生する再生ステップと
を含むことを特徴とするコンピュータが読み取り可能なプログラムが格納されているプログラム格納媒体。
【請求項１２】  ネットワークを介して任意の数の複数の他の情報処理装置と接続される情報処理装置において、
前記他の情報処理装置に前記ネットワークを介してアクセスするためのアクセス情報を取得する第１の取得手段と、
前記他の情報処理装置から前記ネットワークを介して送信されてきたサービスの内容の表示を制御する表示制御手段と、
前記サービスの中から所定のサービスを選択し、選択された前記サービスに対応するデータの送信を要求するリクエスト情報を、前記ネットワークを介して前記他の情報処理装置に対して送信する第１の送信手段と、
前記他の情報処理装置から前記ネットワークを介して送信されてきた前記データを受信する第１の受信手段と、
前記ネットワークを介して前記他の情報処理装置から送信されてきた前記リクエスト情報を受信する第２の受信手段と、
前記リクエスト情報と対応付けられている前記データを取得する第２の取得手段と、
前記第２の取得手段により取得された前記データを、前記ネットワークを介して前記他の情報処理装置に送信する第２の送信手段と
を備えることを特徴とする情報処理装置。
【請求項１３】  ネットワークを介して任意の数の複数の他の情報処理装置と接続される情報処理装置の情報処理方法において、
前記他の情報処理装置に前記ネットワークを介してアクセスするためのアクセス情報を取得する第１の取得ステップと、
前記他の情報処理装置から前記ネットワークを介して送信されてきたサービスの内容の表示を制御する表示制御ステップと、
前記サービスの中から所定のサービスを選択し、選択された前記サービスに対応するデータの送信を要求するリクエスト情報を、前記ネットワークを介して前記他の情報処理装置に対して送信する第１の送信ステップと、
前記他の情報処理装置から前記ネットワークを介して送信されてきた前記データを受信する第１の受信ステップと、
前記ネットワークを介して前記他の情報処理装置から送信されてきた前記リクエスト情報を受信する第２の受信ステップと、
前記リクエスト情報と対応付けられている前記データを取得する第２の取得ステップと、
前記第２の取得ステップの処理により取得された前記データを、前記ネットワークを介して前記他の情報処理装置に送信する第２の送信ステップと
を含むことを特徴とする情報処理方法。
【請求項１４】  ネットワークを介して任意の数の複数の他の情報処理装置と接続される情報処理用のプログラムであって、
前記他の情報処理装置に前記ネットワークを介してアクセスするためのアクセス情報を取得する第１の取得ステップと、
前記他の情報処理装置から前記ネットワークを介して送信されてきたサービスの内容の表示を制御する表示制御ステップと、
前記サービスの中から所定のサービスを選択し、選択された前記サービスに対応するデータの送信を要求するリクエスト情報を、前記ネットワークを介して前記他の情報処理装置に対して送信する第１の送信ステップと、
前記他の情報処理装置から前記ネットワークを介して送信されてきた前記データを受信する第１の受信ステップと、
前記ネットワークを介して前記他の情報処理装置から送信されてきた前記リクエスト情報を受信する第２の受信ステップと、
前記リクエスト情報と対応付けられている前記データを取得する第２の取得ステップと、
前記第２の取得ステップの処理により取得された前記データを、前記ネットワークを介して前記他の情報処理装置に送信する第２の送信ステップと
を含むことを特徴とするコンピュータが読み取り可能なプログラムが格納されているプログラム格納媒体。
【請求項１５】 ネットワークを介して接続される第１の情報処理装置と第２の情報処理装置とからなるコンテンツ共有システムであって、
前記第１の情報処理装置は、
記憶手段に格納されるコンテンツの項目リストを、前記第２の情報処理装置に転送する第１の転送手段と、
前記第２の情報処理装置から転送されてきた、前記第２の情報処理装置において前記項目リストから選択された項目に対応する前記コンテンツのリクエスト情報を受信する第１の受信手段と、
前記第１の受信手段により受信された前記リクエスト情報に対応する前記コンテンツを前記第２の情報処理装置に送信する送信手段と
を備え、
前記第２の情報処理装置は、
前記第１の情報処理装置から転送された前記コンテンツの項目リストを取得する取得手段と、
前記取得手段により取得された前記項目リストから選択された項目に対応する前記コンテンツの前記リクエスト情報を前記第１の情報処理装置に転送する第２の転送手段と、
前記第１の情報処理装置から送信された前記コンテンツを受信する第２の受信手段と、
前記第２の受信手段により受信した前記コンテンツを再生する再生手段と
を備える
ことを特徴とするコンテンツ共有システム。
【請求項１６】 前記第１の情報処理装置および前記第２の情報処理装置は、前記ネットワーク上の所定の同一のグループに属する
ことを特徴とする請求項１５に記載のコンテンツ共有システム。
【請求項１７】 前記取得手段は、前記所定の同一のグループに属し、現在前記ネットワークに接続されている他の情報処理装置についての情報を更に取得する
ことを特徴とする請求項１６に記載のコンテンツ共有システム。
【請求項１８】 前記送信手段は、前記所定の同一グループに属し、現在前記ネットワークに接続されている前記他の情報処理装置および前記第２の情報処理装置に、前記第２の情報処理装置から受信した前記リクエスト情報に対応する前記コンテンツを同時に送信する
ことを特徴とする請求項１７に記載のコンテンツ共有システム。
【請求項１９】 前記第１の情報処理装置は、前記第２の情報処理装置において入力されたパスワードが正しいか否かを判定する判定手段をさらに備え、
前記第１の転送手段は、前記パスワードが正しいと判定された場合に、前記項目リストを前記第２の情報処理装置に転送する
ことを特徴とする請求項１５に記載のコンテンツ共有システム。
【請求項２０】 ネットワークを介して接続される第１の情報処理装置と第２の情報処理装置とからなるコンテンツ共有システムのコンテンツ共有方法であって、
前記第１の情報処理装置が、記憶手段に格納されるコンテンツの項目リストを、前記第２の情報処理装置に転送する第１の転送ステップと、
前記第２の情報処理装置が、前記第１の転送ステップの処理により転送されてきた前記コンテンツの項目リストを取得する取得ステップと、
前記第２の情報処理装置が、前記取得ステップの処理により取得された前記項目リストから選択した項目に対応する前記コンテンツの前記リクエスト情報を前記第１の情報処理装置に転送する第２の転送ステップと、
前記第１の情報処理装置が、前記第２の転送ステップの処理により転送されてきた前記コンテンツのリクエスト情報を受信する受信ステップと、
前記第１の情報処理装置が、前記受信ステップの処理により受信された前記リクエスト情報に対応する前記コンテンツを前記第２の情報処理装置に送信する送信ステップと、
前記第２の情報処理装置が、前記送信ステップの処理により送信されてきた前記コンテンツを受信して再生する再生ステップと
を含むことを特徴とするコンテンツ共有方法。
【請求項２１】 ネットワークを介して接続される第１の情報処理装置と第２の情報処理装置とからなるコンテンツ共有システムのコンテンツ共有処理用のプログラムであって、
前記第１の情報処理装置が、記憶手段に格納されるコンテンツの項目リストを、前記第２の情報処理装置に転送する第１の転送ステップと、
前記第２の情報処理装置が、前記第１の転送ステップの処理により転送されてきた前記コンテンツの項目リストを取得する取得ステップと、
前記第２の情報処理装置が、前記取得ステップの処理により取得された前記項目リストから選択した項目に対応する前記コンテンツの前記リクエスト情報を前記第１の情報処理装置に転送する第２の転送ステップと、
前記第１の情報処理装置が、前記第２の転送ステップの処理により転送されてきた前記コンテンツのリクエスト情報を受信する受信ステップと、
前記第１の情報処理装置が、前記受信ステップの処理により受信された前記リクエスト情報に対応する前記コンテンツを前記第２の情報処理装置に送信する送信ステップと、
前記第２の情報処理装置が、前記送信ステップの処理により送信されてきた前記コンテンツを受信して再生する再生ステップと
を含むことを特徴とするコンピュータが読み取り可能なプログラムが格納されているプログラム格納媒体。
【請求項２２】 ネットワークを介して他の情報処理装置と接続される情報処理装置において、
複数の音楽データを記憶する記憶手段と、
前記記憶手段に記憶された前記複数の音楽データの曲目リストを、前記他の情報処理装置に前記ネットワークを介して転送する転送手段と、
前記他の情報処理装置から送信されてきた、前記他の情報処理装置において前記曲目リストから選択された曲目に対応するリクエスト情報を受信する受信手段と、
前記選択された曲目に対応する音楽データを前記記憶手段から読み出して、前記他の情報処理装置に送信する送信手段と
を備えることを特徴とする情報処理装置。
【請求項２３】 ネットワークを介して他の情報処理装置と接続される情報処理装置の情報処理方法において、
記憶手段に記憶された複数の音楽データの曲目リストを、前記他の情報処理装置に前記ネットワークを介して転送する転送ステップと、
前記他の情報処理装置から送信されてきた、前記他の情報処理装置において前記曲目リストから選択された曲目に対応するリクエスト情報を受信する受信ステップと、
前記選択された曲目に対応する音楽データを前記記憶手段から読み出して、前記他の情報処理装置に送信する送信ステップと
を含むことを特徴とする情報処理方法。
【請求項２４】 ネットワークを介して他の情報処理装置と接続される情報処理装置の情報処理用のプログラムにおいて、
記憶手段に記憶された複数の音楽データの曲目リストを、前記他の情報処理装置に前記ネットワークを介して転送する転送ステップと、
前記他の情報処理装置から送信されてきた、前記他の情報処理装置において前記曲目リストから選択された曲目に対応するリクエスト情報を受信する受信ステップと、
前記選択された曲目に対応する音楽データを前記記憶手段から読み出して、前記他の情報処理装置に送信する送信ステップと
を含むことを特徴とするコンピュータが読み取り可能なプログラムが格納されているプログラム格納媒体。
【手続補正３】
【補正対象書類名】明細書
【補正対象項目名】０００１
【補正方法】変更
【補正の内容】
【０００１】
【発明の属する技術分野】
本発明は、サービス提供装置および方法、情報処理装置および方法、コンテンツ共有システムおよび方法、並びにプログラム格納媒体に関し、特に、例えば、チャットシステムを利用して、同じ音楽データを複数ユーザで同時に再生できるようにしたサービス提供装置および方法、情報処理装置および方法、コンテンツ共有システムおよび方法、並びにプログラム格納媒体に関する。
【手続補正４】
【補正対象書類名】明細書
【補正対象項目名】００２１
【補正方法】変更
【補正の内容】
【００２１】
本発明の第２の情報処理装置および方法、並びに第３のプログラム格納媒体に格納されているプログラムにおいては、他の情報処理装置からネットワークを介して送信されてきたサービスの内容が表示され、サービスの中から所定のサービスが選択され、選択されたサービスに対応するデータの送信が他の情報処理装置に対して要求され、他の情報処理装置からネットワークを介して送信されてきたデータが受信される。また、ネットワークを介して他の情報処理装置から送信されてきたリクエスト情報が受信され、リクエスト情報と対応付けられているデータが取得され、取得されたデータが、ネットワークを介して他の情報処理装置に送信される。
本発明のコンテンツ共有システムは、ネットワークを介して接続される第１の情報処理装置と第２の情報処理装置とからなるコンテンツ共有システムであって、第１の情報処理装置は、記憶手段に格納されるコンテンツの項目リストを、第２の情報処理装置に転送する第１の転送手段と、第２の情報処理装置から転送されてきた、第２の情報処理装置において項目リストから選択された項目に対応するコンテンツのリクエスト情報を受信する第１の受信手段と、第１の受信手段により受信されたリクエスト情報に対応するコンテンツを第２の情報処理装置に送信する送信手段とを備え、第２の情報処理装置は、第１の情報処理装置から転送されたコンテンツの項目リストを取得する取得手段と、取得手段により取得された項目リストから選択された項目に対応するコンテンツのリクエスト情報を第１の情報処理装置に転送する第２の転送手段と、第１の情報処理装置から送信されたコンテンツを受信する第２の受信手段と、第２の受信手段により受信したコンテンツを再生する再生手段とを備えることを特徴とする。
本発明のコンテンツ共有方法は、ネットワークを介して接続される第１の情報処理装置と第２の情報処理装置とからなるコンテンツ共有システムのコンテンツ共有方法であって、第１の情報処理装置が、記憶手段に格納されるコンテンツの項目リストを、第２の情報処理装置に転送する第１の転送ステップと、第２の情報処理装置が、第１の転送ステップの処理により転送されてきたコンテンツの項目リストを取得する取得ステップと、第２の情報処理装置が、取得ステップの処理により取得された項目リストから選択した項目に対応するコンテンツのリクエスト情報を第１の情報処理装置に転送する第２の転送ステップと、第１の情報処理装置が、第２の転送ステップの処理により転送されてきたコンテンツのリクエスト情報を受信する受信ステップと、第１の情報処理装置が、受信ステップの処理により受信されたリクエスト情報に対応するコンテンツを第２の情報処理装置に送信する送信ステップと、第２の情報処理装置が、送信ステップの処理により送信されてきたコンテンツを受信して再生する再生ステップとを含むことを特徴とする。
本発明の第４のプログラム格納媒体に記録されているプログラムは、ネットワークを介して接続される第１の情報処理装置と第２の情報処理装置とからなるコンテンツ共有システムのコンテンツ共有処理用のプログラムであって、第１の情報処理装置が、記憶手段に格納されるコンテンツの項目リストを、第２の情報処理装置に転送する第１の転送ステップと、第２の情報処理装置が、第１の転送ステップの処理により転送されてきたコンテンツの項目リストを取得する取得ステップと、第２の情報処理装置が、取得ステップの処理により取得された項目リストから選択した項目に対応するコンテンツのリクエスト情報を第１の情報処理装置に転送する第２の転送ステップと、第１の情報処理装置が、第２の転送ステップの処理により転送されてきたコンテンツのリクエスト情報を受信する受信ステップと、第１の情報処理装置が、受信ステップの処理により受信されたリクエスト情報に対応するコンテンツを第２の情報処理装置に送信する送信ステップと、第２の情報処理装置が、送信ステップの処理により送信されてきたコンテンツを受信して再生する再生ステップとを含むことを特徴とする。
本発明のコンテンツ共有システムおよび方法、並びに第４のプログラム格納媒体に格納されているプログラムにおいては、第１の情報処理装置により、記憶手段に格納されるコンテンツの項目リストが、第２の情報処理装置に転送され、第２の情報処理装置により、第１の情報処理装置から転送されてきたコンテンツの項目リストが取得され、第２の情報処理装置により、取得された項目リストから選択した項目に対応するコンテンツのリクエスト情報が第１の情報処理装置に転送され、第１の情報処理装置により、第２の情報処理装置から転送されてきたコンテンツのリクエスト情報が受信され、第１の情報処理装置により、第２の情報処理装置から受信したリクエスト情報に対応するコンテンツが第２の情報処理装置に送信され、第２の情報処理装置により、第１の情報処理装置から送信されてきたコンテンツが受信されて再生される。
本発明の第３の情報処理装置は、ネットワークを介して他の情報処理装置と接続される情報処理装置であって、複数の音楽データを記憶する記憶手段と、記憶手段に記憶された複数の音楽データの曲目リストを、他の情報処理装置にネットワークを介して転送する転送手段と、他の情報処理装置から送信されてきた、他の情報処理装置において曲目リストから選択された曲目に対応するリクエスト情報を受信する受信手段と、選択された曲目に対応する音楽データを記憶手段から読み出して、他の情報処理装置に送信する送信手段とを備えることを特徴とする。
本発明の第３の情報処理方法は、ネットワークを介して他の情報処理装置と接続される情報処理装置の情報処理方法であって、記憶手段に記憶された複数の音楽データの曲目リストを、他の情報処理装置にネットワークを介して転送する転送ステップと、他の情報処理装置から送信されてきた、他の情報処理装置において曲目リストから選択された曲目に対応するリクエスト情報を受信する受信ステップと、選択された曲目に対応する音楽データを記憶手段から読み出して、他の情報処理装置に送信する送信ステップとを含むことを特徴とする。
本発明の第５のプログラム格納媒体に記録されているプログラムは、ネットワークを介して他の情報処理装置と接続される情報処理装置の情報処理用のプログラムであって、記憶手段に記憶された複数の音楽データの曲目リストを、他の情報処理装置にネットワークを介して転送する転送ステップと、他の情報処理装置から送信されてきた、他の情報処理装置において曲目リストから選択された曲目に対応するリクエスト情報を受信する受信ステップと、選択された曲目に対応する音楽データを記憶手段から読み出して、他の情報処理装置に送信する送信ステップとを含むことを特徴とする。
本発明の第３の情報処理装置および方法、並びに第５のプログラム格納媒体に格納されているプログラムにおいては、複数の音楽データが記憶手段に記憶され、記憶手段に記憶された複数の音楽データの曲目リストが、他の情報処理装置にネットワークを介して転送され、他の情報処理装置から送信されてきた、他の情報処理装置において曲目リストから選択された曲目に対応するリクエスト情報が受信され、選択された曲目に対応する音楽データが記憶手段から読み出されて、他の情報処理装置に送信される。
【手続補正５】
【補正対象書類名】明細書
【補正対象項目名】００８３
【補正方法】変更
【補正の内容】
【００８３】
さらにまた、本発明の第２の情報処理装置および方法、並びにプログラム格納媒体に格納されているプログラムによれば、他の情報処理装置からネットワークを介して送信されてきたサービスの内容を表示し、サービスの中から所定のサービスを選択し、選択されたサービスに対応するデータの送信を他の情報処理装置に対して要求し、他の情報処理装置からネットワークを介して送信されてきたデータを受信する。また、ネットワークを介して他の情報処理装置から送信されてきたリクエスト情報を受信し、リクエスト情報と対応付けられているデータを取得し、取得されたデータを、ネットワークを介して他の情報処理装置に送信するようにしたので、リクエストしたデータを他の情報処理装置から受信することができるとともに、他の情報処理装置からリクエストされたデータを送信することができる。
さらに、また、本発明のコンテンツ共有システムおよび方法、並びに第４のプログラム格納媒体に格納されているプログラムによれば、第１の情報処理装置が、記憶手段に格納されるコンテンツの項目リストを、第２の情報処理装置に転送し、第２の情報処理装置が、第１の情報処理装置から転送されてきたコンテンツの項目リストを取得し、第２の情報処理装置が、取得した項目リストから選択した項目に対応するコンテンツのリクエスト情報を第１の情報処理装置に転送する。また、第１の情報処理装置が、第２の情報処理装置から転送されてきたコンテンツのリクエスト情報を受信し、第１の情報処理装置が、第２の情報処理装置から受信したリクエスト情報に対応するコンテンツを第２の情報処理装置に送信し、第２の情報処理装置が、第１の情報処理装置から送信されてきたコンテンツを受信して再生するようにしたので、第２の情報処理装置がリクエストしたデータを受信することができるとともに、再生することができる。
さらに、また、本発明の第３の情報処理装置および方法、並びに第５のプログラム格納媒体に格納されているプログラムによれば、記憶手段に記憶された複数の音楽データの曲目リストが、他の情報処理装置にネットワークを介して転送され、他の情報処理装置から送信されてきた、他の情報処理装置において曲目リストから選択された曲目に対応するリクエスト情報が受信され、選択された曲目に対応する音楽データが記憶手段から読み出され、他の情報処理装置に送信されるようにしたので、他の情報処理装置からリクエストされたデータを送信することができる。